(57)【要約】  【課題】  外部機器の信号ケーブルが容易に接続できるディスプレイ装置が求められている。  【解決手段】  平面型表示パネルを有するディスプレイ装置であって、バックカバー３と、バックカバー３の一方の側面に設けられ、複数の外部機器からの信号ケーブルが接続される入力コネクタ群９ｂが配置された外部入力端子部９と、この外部入力端子部９と対向して設けられた複数の外部機器への信号ケーブルが接続される出力コネクタ群１０ａが配置された外部出力端子部１０を備えたディスプレイ装置。  【選択図】  図１
2005223748.tif 000002
【特許請求の範囲】
【請求項１】
複数の外部機器と接続可能なディスプレイ装置であって、
表示パネルを収納したフロント枠と、
それぞれ複数のコネクタ群にて構成された信号入力端子部と信号出力端子部と、
前記信号入力端子部のコネクタ群と前記信号出力端子部のコネクタ群のそれぞれのコネクタが互いに反対方向に導出するように装着され、前記ディスプレイ装置本体内に取り付けられた基板と、
前記基板を覆うとともに、前記信号入力端子部及び信号出力端子部のコネクタ群がそれぞれ導出するように対向配置した窓を有し、前記フロント枠に取付けられるバックカバーとを具備したことを特徴とするディスプレイ装置。
【請求項２】
前記バックカバーには、前記外部出力端子部に接続される信号ケーブルを挿通させる挿通部を有し、この挿通部に装着されるカバーにより前記信号ケーブルを覆うようにしたことを特徴とする請求項１記載のディスプレイ装置。
【発明の詳細な説明】
【技術分野】
【０００１】
本発明は、複数の外部機器が接続可能なディスプレイ装置に関する。
【背景技術】
【０００２】
従来、テレビジョン受像機等のディスプレイ装置には、表示装置としてブラウン管を用いたものが多く普及している。また、近年はブラウン管に代わり、プラズマディスプレイや液晶ディスプレイ（以下、平面型表示パネルと称する）を用いたディスプレイ装置が実用化されている。
【０００３】
一方、テレビジョン受像機等のディスプレイ装置は、放送局から送信されるテレビ信号の受信再生以外に、ＶＴＲ、ＤＶＤプレーヤ、デジタルカメラ、及びゲーム機等の種々の外部機器がコネクタにより接続可能となっており、それら外部機器からの映像と音声の再生が可能となっている。これら外部機器は、ディスプレイ装置に常時接続されているものと、必要に応じて接続されるものとがある。
【０００４】
また、前記平面型表示パネルは、フロント枠にて保持されているが、このフロント枠の前面部には、スピーカが配置されているため、スピーカ以外の部品を配置させる余裕が少ない。このために、外部機器との接続コネクタをディスプレイ装置の背面側に設ける必要が生じるが、ディスプレイ装置を壁面に設置したり、あるいは壁面に密着させて設置したりすると壁面との間の空間が十分に得られないために信号ケーブルの接続が困難となる。
【０００５】
このため、例えば特許文献１には、各種外部機器からの信号ケーブルを接続するコネクタ群をバックカバーの一部に設け、そのコネクタ群に接続された信号ケーブルをバックカバーの表面に露出しないようにカバー等で覆うようにした例が記載されている。即ち、ディスプレイ装置の背面カバーの一部に設けられた円柱状のバーと、このバーに引っかけるＵ字状のフックを有すると共にコネクタ群が収納配置されているコネクタユニットと、前記コネクタ群とディスプレイ装置内の制御基板とを接続するケーブルからなり、前記コネクタに外部機器を接続する際に、コネクタユニットのフックを背面カバーの円柱状のバーから外して、前面側に引き出して外部機器の入出力線の接続を行い、外部機器の接続が終了するとコネクタユニットのフットを背面カバーのバーに再度引っかけて、コネクタユニットを背面カバー側に収納させるディスプレイ装置が示されている。
【特許文献１】特開２００１−２３０９８９号公報（第４〜５頁，図３〜６参照）
【発明の開示】
【発明が解決しようとする課題】
【０００６】
上記特許文献１に示されているディスプレイ装置は、固定的に接続される外部機器、及び必要に応じて接続する外部機器のいずれの場合でも、背面カバー側に収納されているコネクタユニットを引き出して外部機器の入出力線を接続する必要がある。このため、コネクタユニットの引き出しと収納といった煩雑な行為を要し、かつ、コネクタユニットに設ける外部機器の入出力線の接続コネクタは、横一列に並べて配置させる必要があり、コネクタユニットが大型化となるという不都合がある。
【０００７】
本発明は、このような事情に鑑み、外部機器からの信号ケーブルが容易に接続できるディスプレイ装置を提供することを目的としている。
【課題を解決するための手段】
【０００８】
本発明は、複数の外部機器と接続可能なディスプレイ装置であって、
表示パネルを収納したフロント枠と、それぞれ複数のコネクタ群にて構成された信号入力端子部と信号出力端子部と、前記信号入力端子部のコネクタ群と前記信号出力端子部のコネクタ群のそれぞれのコネクタが互いに反対方向に導出するように装着され、前記ディスプレイ装置本体内に取り付けられた基板と、前記基板を覆うとともに、前記信号入力端子部及び信号出力端子部のコネクタ群がそれぞれ導出するように対向配置した窓を有し、前記フロント枠に取付けられるバックカバーとを具備したことを特徴とする。
【発明の効果】
【０００９】
本発明のディスプレイ装置は、外部機器を接続する入力端子部及び出力端子部をバックカバーの比較的目立ちにくい位置に小型に設置することができ、外部機器の信号ケーブルの接続が容易となる。また、入力端子部及び出力端子部を互いに対向して配置したことにより、信号ケーブルの接続が容易となり、誤接続を防ぐことができる。
【発明を実施するための最良の形態】
【００１０】
以下、図面を参照して本発明の実施の形態について詳細に説明する。
【実施例１】
【００１１】
図１は、本発明の一実施形態であるディスプレイ装置の背面斜視図である。尚、本発明のディスプレイ装置としては、液晶ディスプレイやプラズマディスプレイ等の平面型表示パネルを用いたテレビジョン受像機（以下テレビセットと称す）を例に説明する。
【００１２】
図１において、１はテレビセットであり、平面型表示パネル（図示省略）は、フロント枠２によって保持されている。このフロント枠２の前面部には、図示していないがスピーカが配置されている。また、フロント枠２にはバックカバー３が取付けられ、これらフロント枠２とバックカバー３とでディスプレイ筐体を構成している。そしてこの筐体内には、平面型表示パネルの駆動回路や、受信したテレビ信号に所定の信号処理を施して映像信号と音声信号を生成する信号処理回路、マイクロプロセッサによる制御回路等が搭載された主回路基板（図示せず）が配置されている。
【００１３】
前記フロント枠２とバックカバー３の底部には、スタンド１２が設けられ、このスタンド１２によりテレビセット１は支持されている。また、前記バックカバー３の背面部には、ケーブル配線部４とケーブル挿通部１１が略Ｌ字状に形成されている。ケーブル配線部４は、バックカバー３の背面の上方から下方に向って形成された凹所にてなり、表示パネル面に対して垂直に形成した垂直面４ａと、表示パネル面と平行な面４ｂを有し、バックカバー３の上部から見て略直角形状に切り込まれた形状となっている。前記ケーブル挿通部１１は、バックカバー３の底辺に沿って溝状に形成され、前記ケーブル配線部４と連通している。
【００１４】
前記ケーブル配線部４の垂直面４ａには、ケーブルコネクタ基板５が配置されており、このケーブルコネクタ基板５には、各種外部機器からの信号ケーブルを接続するための各種コネクタが設けられ、このコネクタに接続された信号ケーブルは、ケーブル配線部４に収納される。前記ケーブル配線部４に収納された信号ケーブルは、ケーブル挿通部１１を介して、背後から引き出される。また、バックカバー３には外部入力端子部９と外部出力端子部１０が設けられている。
【００１５】
前記外部入力端子部９はバックカバー３の側面に設けられ、外部出力端子部１０は、前記ケーブル配線部４とケーブル挿通部１１が連通している部分に設けられ、これら外部入力端子部９と外部出力端子部１０は互いに反対方向の向きに導出するように配置されている。
【００１６】
すなわち、前記ケーブル配線部４は、テレビセット１に固定的に接続される、例えば、ＶＴＲ、ＤＶＤプレーヤ、ＣＡＴＶ用セットトップ等の外部機器の信号ケーブルが接続され、外部入力端子部９には、例えば必要に応じて接続される、ゲーム機器やデジタルカメラ等の外部機器の信号ケーブルが接続される。また、外部出力端子部１０は、例えば前記外部入力端子部９に接続された外部機器からの出力信号を他の外部機器に供給するための端子として利用される。
【００１７】
具体的な使用例として、例えば、録画されたテレビ番組を他の記録媒体にダビングする際には、外部入力端子部９の所定のコネクタにＶＴＲを接続して、録画再生された映像と音声信号を入力し、外部出力端子部１０の所定のコネクタに他のＶＴＲを接続することで前記入力された映像と音声信号を他のＶＴＲにて録画することができる。また、ケーブル配線部４に接続した外部機器からの再生信号を外部出力端子部１０の所定のコネクタから出力することもできる。
【００１８】
一方、前記バックカバー３に設けられたケーブル配線部４には、配線カバー（図示せず）が装着され、それにより収納された信号ケーブルを覆い、コネクタ部分の保護を行うようにしている。又、ケーブル挿通部１１にも同様にカバー（図示せず）が装着可能になっている。尚、配線カバー取付孔８ａ，８ｂは、前記配線カバーをバックカバー３に取付けるためのものであり、取付孔１１ａ，１１ｂはケーブル挿通部１１を覆うカバーを取付けるための孔である。
【００１９】
また、前記バックカバー３のケーブル配線部４の近傍であって、前記配線カバー１３により覆われる位置には、小窓６が設けられている。この小窓６の内部には、前記主回路基板に電気的に接続されたコネクタ７が設けられ、小窓６を介してコネクタ７に専用プラグを装着できるようにしており、この専用プラグを利用して各種の動作点検等を行えるようにしている。尚、前記小窓６は、蓋部材１３によって通常時は覆われるようにしている。
【００２０】
次に、バックカバー３に設けられた外部入力端子部９と外部出力端子部１０の構成について図２と図３を用いて説明する。図２は、外部入力端子部９の構成を示す平面図であり、図３は、外部出力端子部１０の構成を示す平面図である。
【００２１】
外部入力端子部９は、バックカバー３の下方の側面に略長方形状に形成された窓９ａに面して設けられ、その窓９ａの内側にはバックカバー３の側面から露出するように入力コネクタ群９ｂが配置されている。この入力コネクタ群９ｂには、例えば図２に示すように、外部機器からの入力ケーブルを接続するＳ２映像信号入力コネクタ２２ａ、映像信号入力コネクタ２２ｂ、左右音声信号入力コネクタ２２ｃ，２２ｄ、ヘッドホーンコネクタ２２ｅ、及びイヤホーンコネクタ２２ｆが配置される。
【００２２】
また、前記外部入力端子部９に対向する面には、外部出力端子部１０の出力コネクタ群１０ａが設けられている。この出力コネクタ群１０ａは、前記バックカバー３の窓９ａに対向して設けられた同様の窓（図示せず）に面して設けられ、例えば図３に示すように、Ｓ１映像信号出力コネクタ２４ａ、映像信号出力コネクタ２４ｂ、デジタル放送録画出力の左右音声信号コネクタ２４ｃ，２４ｄ、及びオーディオ出力（固定）コネクタ２４ｅ，２４ｆが配置される。
【００２３】
次に前記外部入力端子部９の入力コネクタ群９ｂに配置されるコネクタ２２ａ〜２２ｆと外部出力端子部１０の出力コネクタ群１０ａに配置されるコネクタ２４ａ〜２４ｆを装着したコネクタ基板の構成について図４を用いて説明する。図４はコネクタ基板２１の平面図であり、外部入力端子部９及び外部出力端子部１０にそれぞれ設けられた各種の端子配置を示すものである。
【００２４】
前記コネクタ基板２１は、略長方形状に形成され、このコネクタ基板２１の一方の側面には、前記入力コネクタ群９ｂの内、Ｓ２映像信号入力コネクタ２２ａの本体２５ａ、映像信号入力コネクタ２２ｂと左右音声信号入力コネクタ２２ｃ，２２ｄの本体２５ｂ、ヘッドホーンコネクタ２２ｅの本体２５ｃ、及びイヤホーンコネクタ２２ｆの本体２５ｄが設けられている。
【００２５】
又、前記入力コネクタ群９ｂと対向するコネクタ基板２１の他方の側面には、前記出力コネクタ群１０ａの内、Ｓ１映像信号出力コネクタ２４ａの本体２６ａ、映像信号出力コネクタ２４ｂとデジタル放送録画出力の左右音声信号コネクタ２４ｃ，２４ｄの本体２６ｂ、及び図示していないが、オーディオ出力の左右音声信号コネクタ２４ｅ，２４ｆの本体が設けられている。つまり、コネクタ基板２１の互いに対向する側面に、入力コネクタ群９ｂの各コネクタ２２ａ〜２２ｆと、出力コネクタ群１０ａの各コネクタ２４ａ〜２４ｆが設けられている。
【００２６】
この入力コネクタ群９ｂのコネクタ２２ａ〜２２ｆと出力コネクタ群１０ａのコネクタ２４ａ〜２４ｆは、コネクタ基板２１に設けられた配線パターンを利用して主回路基板（図示せず）の所定の部分に電気的に接続されている。なお、コネクタ基板２１の符号２７ａ〜２７ｄは、コネクタ基板２１をバックカバー３内にネジなどの固定手段により固定するためのネジ孔である。
【００２７】
このような構成のテレビセット１において、ケーブル配線部４に接続される外部機器からの信号ケーブルは、ケーブル挿通部１１を介してケーブル配線部４へと通し、ケーブルコネクタ基板５の所定のコネクタに接続させる。
【００２８】
一方、必要に応じてテレビセット１に接続する外部機器からの信号ケーブルは、入力コネクタ群９ｂの所定のコネクタ２２ａ〜２２ｆに接続し、出力コネクタ群１０ａの所定のコネクタ２４ａ〜２４ｆに接続した信号ケーブルは、ケーブル挿通部１１を介して、背面から導出され外部機器へと延出される。また、ケーブル配線部４とケーブル挿通部１１に配置された信号ケーブルは、ケーブル配線部カバーとケーブル挿通部カバーにより覆われて外部に露出することはない。
【００２９】
以上説明したように、本発明に係るテレビセット１は、外部機器用の信号ケーブルを接続する外部入力端子部９をバックカバー３の側面に設け、それに対向して外部出力端子部１０を設けたことにより、信号ケーブルの接続が容易となり、かつ入力コネクタ群と出力コネクタ群を区分して配置したことにより誤接続を防ぐことができる。また、バックカバー３の背面の美観形状を逸することもない。
【図面の簡単な説明】
【００３０】
【図１】本発明の一実施形態のディスプレイ装置の背面を示す斜視図。
【図２】本発明に係るディスプレイ装置の外部入力端子部の入力コネクタ群の構成を示す平面図。
【図３】本発明に係るディスプレイ装置の外部出力端子部の出力コネクタ群の構成を示す平面図。
【図４】本発明に係るディスプレイ装置の外部入力端子部と外部出力端子部が取付けられる端子基板の構成を示す平面図。
【符号の説明】
【００３１】
１  ディスプレイ装置（テレビセット）、
２  フロント枠、
３  バックカバー、
４  ケーブル配線部、
５  ケーブルコネクタ基板、
９  外部入力端子部、
９ａ  窓
９ｂ  入力コネクタ群
１０  外部出力端子部、
１０ａ  出力コネクタ群
１１  ケーブル挿通部、
１２  スタンド、
２１  端子基板、
２２，２４  各種端子。
代理人  弁理士  伊藤  進
【図１】
2005223748.tif 000003
【図２】
2005223748.tif 000004
【図３】
2005223748.tif 000005
【図４】
2005223748.tif 000006